(57)【要約】【解決手段】本発明は、上下動可能な操作部材Ｍ’と、該操作部材Ｍ’の上下動に連動して、水平移動可能な一対のロックバー部材Ｍ”とからなるロック機構Ｍが配設された折り畳みコンテナーにおいて、操作部材Ｍ’の水平バーｍ２に突設されたカム短軸ｍ３と、ロックバー部材Ｍ”のカムブロックｍ６に形成された、カム短軸ｍ３が挿入されるカム孔ｍ７とからなる上下動・水平移動変換機構Ｓを、保護部材Ｈ１、Ｈ２により、保護するようにしたものである。【効果】上下動・水平移動変換機構Ｓに、塵が付着したり、上下動・水平移動変換機構Ｓに他のものが引っ掛かり、上下動・水平移動変換機構Ｓの機能が損なわれたり、上下動・水平移動変換機構Ｓが損傷するようなことを防止することができる。【選択図】図１
2015093720.tif 000002
【特許請求の範囲】
【請求項１】
上下動可能な操作部材と、該操作部材の上下動に連動して、水平移動可能な一対のロックバー部材とからなるロック機構が配設された折り畳みコンテナーにおいて、前記操作部材の上下動を、前記一対のロックバー部材の水平移動に変換する上下動・水平移動変換機構が、保護部材により保護されるように構成されていること特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部と、該底部の相対する長辺側土手部にヒンジ連結された長側壁と、底部の相対する、長辺側土手部より高さの高い短辺側土手部にヒンジ連結された短側壁とからなり、箱型に組み立てられた状態から、最初に、長側壁を、底部の上に重なるように倒し、次いで、短側壁を、底部方向に倒すことにより、箱型に組み立てられた状態の折り畳みコンテナーを折り畳むことができるように構成されている。また、箱型に組み立てられた状態において、長側壁が、底部方向に倒れないように、長側壁に、ロック機構が配設されており、ロック機構を構成する操作部材を、下方に移動させて、ロック機構を構成する一対のロックバーを、互いに、接近する方向に移動させ、ロックバーの先端部を、短側壁に形成された係合凹部から抜き取ることにより、長側壁を、底部方向に倒して、折り畳むように構成されている折り畳みコンテナーが、一例として、特許文献１に開示されているように周知である。
【先行技術文献】
【特許文献】
【０００３】
【特許文献１】特開２００４ー５１１９９号公報
【発明の概要】
【発明が解決しようとする課題】
【０００４】
上述した従来の折り畳みコンテナーの長側壁に配設されたロック機構は、上下動可能な操作部材と一対のロックバーとを有しており、操作部材の上下動を、種々の変換機構を介して、ロックバーの水平方向の接近・離反に変換するように構成されているが、変換機構が、カバー等により保護されておらず、露出されているので、変換機構に、塵が付着したり、他のものが引っ掛かったして、変換機構の機能が損なわれたり、変換機構が損傷するという問題があった。
【０００５】
本発明の目的は、上述した従来の折り畳みコンテナーが有する課題を解決することにある。
【課題を解決するための手段】
【０００６】
本発明は、上述した目的を達成するために、上下動可能な操作部材と、該操作部材の上下動に連動して、水平移動可能な一対のロックバー部材とからなるロック機構が配設された折り畳みコンテナーにおいて、前記操作部材の上下動を、前記一対のロックバー部材の水平移動に変換する上下動・水平移動変換機構を、保護部材により保護するようにしたものである。
【発明の効果】
【０００７】
上下動可能な操作部材と、該操作部材の上下動に連動して、水平移動可能な一対のロックバー部材とからなるロック機構が配設された折り畳みコンテナーにおいて、前記操作部材の上下動を、前記一対のロックバー部材の水平移動に変換する上下動・水平移動変換機構を、保護部材により保護するようにしたので、上下動・水平移動変換機構に、塵が付着したり、上下動・水平移動変換機構に他のものが引っ掛かり、上下動・水平移動変換機構の機能が損なわれたり、上下動・水平移動変換機構が損傷するようなことを防止することができる。
【図面の簡単な説明】
【０００８】
【図１】図１は、本発明の折り畳みコンテナーが箱型に組み立てられた状態の斜視図である。
【図２】図２は、本発明の折り畳みコンテナーを構成する長側壁の斜視図である。
【図３】図３は、同じく、本発明の折り畳みコンテナーを構成する長側壁の斜視図である。
【図４】図４は、本発明の折り畳みコンテナーを構成するロック機構の分解斜視図である。
【図５】図５は、ロック機構が取り付けられた状態の本発明の折り畳みコンテナーの部分拡大斜視図である。
【図６】図６は、本発明の折り畳みコンテナーを構成するロックバー部材の斜視面図である。
【図７】図７は、ロック機構が取り付けられた状態の本発明の折り畳みコンテナーの部分拡大斜視図である。
【図８】図８は、本発明の折り畳みコンテナーを構成する保護部材の斜視図である。
【図９】図９は、同じく、本発明の折り畳みコンテナーを構成する保護部材の斜視図である。
【図１０】図１０は、ロック機構及び保護部材が取り付けられた状態の本発明の折り畳みコンテナーの部分正面図である。
【図１１】図１１は、ロック機構及び保護部材が取り付けられた状態の本発明の折り畳みコンテナーの別の実施例の部分正面図である。
【実施例】
【０００９】
以下に、本発明の実施例について説明するが、本発明の趣旨を越えない限り何ら、本実施例に限定されるものでない。
【００１０】
本発明の折り畳みコンテナーは、相対する長辺側土手部１ａと相対する短辺側土手部１ｂとを有する底部１を有し、底部１の短辺側土手部１ｂより高さの低い長辺側土手部１ａには、長側壁２がヒンジ連結されており、また、長辺側土手部１ａより高さの高い短辺側土手部１ｂには、短側壁３がヒンジ連結されている。図１に示されている箱型に組み立てられた状態から、長側壁２を、底部１に重なるように倒し、次いで、短側壁３を底部１方向に倒すことにより、箱型に組み立てられた折り畳みコンテナーを折り畳むことができ、折り畳まれた状態から、短側壁３を、略垂直に立て、次いで、長側壁２を、略垂直に立てることにより、箱型状態に組み立てることができるように構成されている。
【００１１】
次に、長側壁２の外側面（折り畳みコンテナーが箱型に組み立てられた状態において、折り畳みコンテナーの外側に位置する面）２’からの斜視図である図２及び長側壁２の内側面（折り畳みコンテナーが箱型に組み立てられた状態において、折り畳みコンテナーの内側に位置する面）２”からの斜視図である図３を用いて、後述するロック機構が配設される長側壁２について説明する。
【００１２】
長側壁２には、上端水平リブ２ａ１と、上端水平リブ２ａ１の直ぐ下に位置する上部水平リブ２ａ２と、上端水平リブ２ａ１と上部水平リブ２ａ１の外側端を連結する連結垂直リブ２ａ３とからなる、長手方向に垂直な断面が、略コの字状の上端水平枠２ａが形成されている。また、上端水平枠２ａの下方に位置する外側面２’の中央領域には、上端水平枠２ａと同様の下部水平枠２ｂが形成されており、上端水平枠２ａと下部水平枠２ｂとは、相対する区画垂直リブ２ｃにより連結されているとともに、相対する区画垂直リブ２ｃの中央部には、先端が開放されたロックバー挿入凹部２ｃ１が形成されている。
【００１３】
長側壁２の外側面２’には、区画垂直リブ２ｃに形成されたロックバー挿入凹部２ｃ１を、上下から挟むように、且つ、長側壁２の端部垂直部２ｄ付近まで延在する、相対する水平リブ２ｅが形成されている。また、相対する水平リブ２ｅの先端を、適当個所において連結する連結片２ｆが形成されており、外側面２’と相対する水平リブ２ｅと連結片２ｆとにより、適当数のロックバー挿入孔２ｇが形成されている。
【００１４】
相対する区画垂直リブ２ｃ間に位置する下部水平枠２ｂの上部水平リブ２ｂ１の上面には、所定の間隔を置いて、垂直弾性片当接ブロック２ｈが形成されており、垂直弾性片当接ブロック２ｈは、垂直基部２ｈ１と、垂直基部２ｈ１の区画垂直リブ２ｃ側の面に形成された水平部２ｈ２とから構成されている。また、区画垂直リブ２ｃと垂直弾性片当接ブロック２ｈとの間に位置する外側面２’には、縦長のロックバー案内バー２ｉが形成されている。
【００１５】
また、上端水平枠２ａの上部水平リブ２ａ２と長側壁２の内側面２”との角部に、切欠部２ｊを形成することにより、上部水平リブ２ａ２には、適当数の上部係止孔２ｊ１が形成されている。更に、下部水平枠２ｂの上部水平リブ２ｂ１の内側面２”側には、適当数の下部係止孔２ｋが形成されている。
【００１６】
次に、図４〜図６を用いて、長側壁２に配設されるロック機構Ｍについて説明する。ロック機構Ｍは、一つの操作部材Ｍ’と一対のロックバー部材Ｍ”とから構成されている。
【００１７】
操作部材Ｍ’は、横長の操作ブロックｍ１と、横長の操作ブロックｍ１に垂直な相対する垂直端面ｍ１ａから水平方向に延在する水平バーｍ２とを有しており、水平バーｍ２の横長の操作ブロックｍ１に沿った一方の垂直面ｍ２ａには、カム短軸ｍ３が突設されている。また、操作ブロックｍ１の下面の中央部には、略ハの字状の弾性片部ｍ４が形成されている。
【００１８】
ロックバー部材Ｍ”は、ロックバーｍ５と、ロックバーｍ５の一端に形成されたカムブロックｍ６とを有している。ロックバーｍ５とカムブロックｍ６との連結付近に位置するカムブロックｍ６には、三角形状のカム孔ｍ７が形成されている。カム孔ｍ７は、ロックバーｍ５の長手方向に対して垂直なロックバー側垂直部ｍ７ａと、水平天部ｍ７ｂと、傾斜部ｍ７ｃとから形成されている。また、ｍ８は、カムブロックｍ６のロックバーｍ５とは反対側に形成された垂直弾性片である。
【００１９】
次に、主として、図２、図５及び図７を用いて、ロック機構Ｍの長側壁２への配設について説明する。
【００２０】
先ず最初に、ロック機構Ｍの操作部材Ｍ’を、長側壁２の外側面２’と該外側面２’の中央部に形成された相対する区画垂直リブ２と上端水平枠２ａと下部水平枠２ｂとにより形成される操作部材配設領域Ａ１に配置する。この際、操作部材Ｍ’の略ハの字状の弾性片部ｍ４の下端が、長側壁２に形成された下部水平枠２ｂの上部水平リブ２ｂ１の上面に当接するか、或いは、近接するように配置するとともに、操作部材Ｍ’を、操作部材Ｍ’の操作ブロックｍ１に沿った一方の垂直面ｍ２ａに突設されたカム短軸ｍ３が外側に位置するように配置する。
【００２１】
次いで、ロックバー部材Ｍ”のカムブロックｍ６が、長側壁２の外側面２’の中央部に形成された相対する区画垂直リブ２ｃの間で、且つ、区画垂直リブ２ｃに近接するように、ロックバー部材Ｍ”のロックバーｍ５を、長側壁２に形成されたロックバー挿入凹部２ｃ１やロックバー挿入孔２ｇに挿入するとともに、操作部材Ｍ’の操作ブロックｍ１に沿った一方の垂直面ｍ２ａに突設されたカム短軸ｍ３を、ロックバー部材Ｍ”のカムブロックｍ６に形成された三角形状のカム孔ｍ７に挿入する。このようにして、長側壁２にロック機構Ｍを配設する。
【００２２】
上述したように、ロック機構Ｍが、長側壁２に配設された際には、操作部材Ｍ’の操作ブロックｍ１に沿った一方の垂直面ｍ２ａに突設されたカム短軸ｍ３が、図５に示されているように、ロックバー部材Ｍ”のカムブロックｍ６に形成された三角形状のカム孔ｍ７の水平天部ｍ７ｂと傾斜部ｍ７ｃとにより形成される角部ｍ７ｄ付近に位置するように構成されている。また、ロックバー部材Ｍ”を構成するカムブロックｍ６に形成された垂直弾性片ｍ８が、略垂直状態に、長側壁２に形成された垂直弾性片当接ブロック２ｈに、当接、或いは、近接するように構成されている。
【００２３】
上述した状態から、ロック機構Ｍの操作部材Ｍ’を下降させると、図７に示されているように、操作部材Ｍ’に形成されたカム短軸ｍ３が、ロックバー部材Ｍ”のカムブロックｍ６に形成された三角形状のカム孔ｍ７の角部ｍ７ｄから、傾斜部ｍ７ｃに沿って、傾斜部ｍ７ｃの中央部付近に位置し、従って、公知のように、一対のロックバー部材Ｍ”が、互いに、接近する方向に水平移動することになり、ロックバー部材Ｍ”のロックバーｍ５の先端が、公知のように、短側壁３に形成された係止凹部から排出されて、長側壁２と短側壁３とのロック機構Ｍによるロック状態が解除されて、長側壁２を、底部１方向に倒すことができるように構成されている。
【００２４】
上述したように、ロック機構Ｍの操作部材Ｍ’に手を当てて、操作部材Ｍ’を下降させて、長側壁２と短側壁３とのロック機構Ｍによるロック状態を解除した際には、操作部材Ｍ’の略ハの字状の弾性片部ｍ４の一対の弾性片ｍ４ａの下端が、互いに離反する方向に移動するとともに、長側壁２に形成されている垂直弾性片当接ブロック２ｈにより、図７に示されているように、ロックバー部材Ｍ”を構成するカムブロックｍ６に形成された垂直弾性片ｍ８が弾性変形することになる。
【００２５】
上述した状態から、ロック機構Ｍの操作部材Ｍ’から、手を離すと、操作部材Ｍ’の略ハの字状の弾性片部ｍ４の弾性復元力と、ロックバー部材Ｍ”を構成するカムブロックｍ６に形成された垂直弾性片ｍ８の弾性復元力とにより、操作部材Ｍ’が上動し、図５に示されているような状態に戻り、長側壁２と短側壁３とが、ロック機構Ｍを介してロックされることになる。
【００２６】
ロック機構Ｍの上下動可能な操作部材Ｍ’と、該操作部材Ｍ’の上下動可能な操作部材Ｍ’に連動して水平移動可能な一対のロックバー部材Ｍ”とは、操作部材Ｍ’の水平バーｍ２に突設されたカム短軸ｍ３と、ロックバー部材Ｍ”のカムブロックｍ６に形成された、カム短軸ｍ３が挿入されるカム孔ｍ７とからなる上下動・水平移動変換機構Ｓを介して、上下動可能な操作部材Ｍ’の上下動が、ロックバー部材Ｍ”の水平移動に変換されるように構成されている。
【００２７】
次に、図８〜図１０を用いて、上述した上下動・水平移動変換機構Ｓを保護する保護部材Ｈ１について説明する。
【００２８】
上述した保護部材Ｈ１は、略Ｕ字状の基板Ｈ’を有しており、基板Ｈ’は、水平部ｈ１と、該水平部ｈ１の両端部に形成された相対する垂直部ｈ２とから形成されており、水平部ｈ１と該水平部ｈ１の両端部に形成された相対する垂直部ｈ２とにより、ロック機構Ｍの操作部材Ｍ’が挿入される操作部材挿入空間Ａ２が形成されている。
【００２９】
基板Ｈ’の下端縁には、基板Ｈ’に垂直な下端水平枠ｈ３が形成されており、下端水平枠ｈ３の両端部及び中央部には、水平台座部ｈ４が形成されている。水平台座部ｈ４の下面には、長側壁２の下部水平枠２ｂの上部水平リブ２ｂ１に形成された下部係止孔２ｋに係合される係止突起ｈ４ａが突設されている。
【００３０】
また、垂直部ｈ２の上端に形成された水平リブｈ３の上面には、長側壁２の上部水平リブ２ａ２と内側面２”との角部に切欠部２ｊを形成することにより、上部水平リブ２ａ２に形成された上部係止孔２ｊ１に係合される係止突起ｈ３ａが突設されている。
【００３１】
更に、垂直部ｈ２の相対する縁部の上部には、基板Ｈ’に垂直な相対する垂直リブｈ５が形成されている。なお、以下、相対する垂直リブｈ５のうち、保護部材Ｈ１の基板Ｈ’の両端縁に位置する垂直リブｈ５を、外側垂直リブと称し、符号ｈ５ａを付し、また、相対する垂直リブｈ５のうち、操作部材挿入空間Ａ２側に位置する垂直リブｈ５を、内側垂直リブと称し、符号ｈ５ｂを付する。
【００３２】
長側壁２に配設されたロック機構Ｍの下動・水平移動変換機構Ｓを保護するために、保護部材Ｈ１を、長側壁２に取り付けれ際に、ロック機構Ｍのロックバーｍ５が、保護部材Ｈ１の取り付けの邪魔にならないように、外側垂直リブｈ５ａと水平台座部ｈ４との間には、間隙ｈ６が形成されており、内側垂直リブｈ５ｂと下端水平枠ｈ３との間にも、操作部材Ｍ’の水平バーｍ２が、保護部材Ｈ１の取り付けの邪魔にならないように、同様の間隙ｈ７が形成されている。
【００３３】
保護部材Ｈ１が、長側壁２に配設されたロック機構Ｍの上下動・水平移動変換機構Ｓを保護するように、長側壁２に取り付けられた際には、外側垂直リブｈ５ａが、長側壁２に形成された区画垂直リブ２ｃに当接、或いは、近接するように構成されており、このように構成することにより、保護部材Ｈ１の水平方向のガタを抑制するように構成されている。
【００３４】
垂直部ｈ２の相対する縁部の上部に、基板Ｈ’に垂直な相対する垂直リブｈ５が形成されていないと、垂直部ｈ２が、保護部材Ｈ１の成形後の反りや、使用している間に加わる負荷により、大きく内側に変形してしまった時に、ロックバー部材Ｍ”のカムブロックｍ６の表面に接触して、ロックバー部材Ｍ”の作動性が低下してしまうが、垂直リブｈ５が、垂直部ｈ２を支えているために変形を抑制でき、ロックバー部材Ｍ”の円滑な作動状態を維持することができる。
【００３５】
図１１に示されている実施例は、上述した実施例の略Ｕ字状の保護部材Ｈ１に代えて、略Ｕ字状の基板Ｈ’の水平部ｈ１を省略し、一対の分離保護部材Ｈ２としたものである。なお、分離保護部材Ｈ２の長側壁２の取り付けについては、上述した実施例と実質的に同じであるので、その説明は省略する。
【００３６】
本発明は、上下動可能な操作部材Ｍ’と、該操作部材Ｍ’の上下動に連動して、水平移動可能な一対のロックバー部材Ｍ”とからなるロック機構Ｍが配設された折り畳みコンテナーにおいて、操作部材Ｍ’の水平バーｍ２に突設されたカム短軸ｍ３と、ロックバー部材Ｍ”のカムブロックｍ６に形成された、カム短軸ｍ３が挿入されるカム孔ｍ７とからなる上下動・水平移動変換機構Ｓを、保護部材Ｈ１、Ｈ２により、保護するようにしたので、上下動・水平移動変換機構Ｓに、塵が付着したり、上下動・水平移動変換機構Ｓに他のものが引っ掛かり、上下動・水平移動変換機構Ｓの機能が損なわれたり、上下動・水平移動変換機構Ｓが損傷するようなことを防止することができる。
【符号の説明】
【００３７】
１・・・・・・・・・・・・・・・・・・・・底部
２・・・・・・・・・・・・・・・・・・・・長側壁
３・・・・・・・・・・・・・・・・・・・・短側壁
Ｈ１、Ｈ２・・・・・・・・・・・・・・・・保護部材
Ｍ・・・・・・・・・・・・・・・・・・・・ロック機構
Ｍ’・・・・・・・・・・・・・・・・・・・操作部材
Ｍ”・・・・・・・・・・・・・・・・・・・ロックバー部材
ｍ３・・・・・・・・・・・・・・・・・・・カム短軸
ｍ７・・・・・・・・・・・・・・・・・・・カム孔
Ｓ・・・・・・・・・・・・・・・・・・・・上下動・水平移動変換機構
【図１】
2015093720.tif 000003
【図２】
2015093720.tif 000004
【図３】
2015093720.tif 000005
【図４】
2015093720.tif 000006
【図５】
2015093720.tif 000007
【図６】
2015093720.tif 000008
【図７】
2015093720.tif 000009
【図８】
2015093720.tif 000010
【図９】
2015093720.tif 000011
【図１０】
2015093720.tif 000012
【図１１】
2015093720.tif 000013